(57)【特許請求の範囲】
【請求項１】
乗場出入口を囲むフレーム材、
ストッパが設けられた誘導溝を形成するガイド板部を有し、上記フレーム材に回動可能に取り付けられたガイド枠、及び
操作表示器を支持した状態で上記誘導溝に沿って案内される支持板部を有し、上記支持板部の一端部に設けられた当接部を上記ストッパに当接させた状態で、上記フレーム材に設けられた開口孔を上記操作表示器が塞ぐ方向に上記ガイド枠と一体に回動可能な表示ユニット
を備え、
上記ガイド枠には、上記ガイド枠の自重により上記開口孔を上記操作表示器が塞ぐ方向に回動力が加えられており、
上記支持板部は、上記当接部が上記ストッパに当接している状態において、他端部が上記ガイド枠の端部から突出しており、
上記表示ユニットは、上記支持板部が上記誘導溝に嵌った状態でスライド移動させることで上記当接部を上記ストッパに当接させた後、上記ガイド枠と一体となって上記回動力に従って上記フレーム材内に変位されることにより、上記操作表示器が上記開口孔を塞ぐ状態で上記フレーム材に取り付け可能になっており、
上記ガイド枠の端部から突出している上記他端部と上記フレーム材とには、上記操作表示器で上記開口孔を塞ぐ状態を維持する保持具が設けられている
操作表示器組込型エレベータの三方枠。
【請求項２】
上記ガイド枠の端部から突出している上記支持板部の端部及び回動基準と反対側になる上記ガイド枠の端部のうち、昇降路ピット面からより離れた端部までの距離が２．５ｍ以下に設定されている
請求項１に記載の操作表示器組込型エレベータの三方枠。
【請求項３】
乗場出入口を囲むフレーム材、
ストッパが設けられた誘導溝を形成するガイド板部を有し、上記フレーム材に回動可能に取り付けられたガイド枠、及び
操作表示器を支持した状態で上記誘導溝に沿って案内される支持板部を有し、上記支持板部の一端部に設けられた当接部が上記ストッパに当接させた状態で上記フレーム材に設けられた開口孔を上記操作表示器が塞ぐ方向に上記ガイド枠と一体に回動可能な表示ユニット
を備えた操作表示器組込型エレベータの三方枠において、上記表示ユニットを上記フレーム材に取り付けるためのエレベータの操作表示器取付方法であって、
自重により上記開口孔を上記操作表示器が塞ぐ方向に回動力が加えられている上記ガイド枠を、上記回動力に逆らって上記フレーム材内の第２回動位置に変位させる第１ステップと、
第１ステップにより上記第２回動位置に変位した状態の上記ガイド枠の上記誘導溝に対して上記支持板部が嵌った状態で、上記支持板部を上記誘導溝に沿って上記当接部が上記ストッパに当接するまでスライド移動させる第２ステップと、
上記当接部が上記ストッパに当接した状態を維持したまま、上記ガイド枠に加えられている上記回動力に従って上記フレーム材内の第１回動位置に変位させることにより、上記操作表示器が上記開口孔を塞ぐ状態で上記フレーム材に上記表示ユニットを取り付け可能とする第３ステップと、
上記第３ステップの後、上記ガイド枠の端部から突出している上記支持板部の他端部と、上記フレーム材とを固定する第４ステップと
を有するエレベータの操作表示器取付方法。
【発明の詳細な説明】
【技術分野】
【０００１】
この発明は、操作表示器を、昇降路側からエレベータの三方枠に設けられた表示器取付位置に取り付ける操作表示器組込型エレベータの三方枠、及びエレベータの操作表示器取付方法に関するものである。
【背景技術】
【０００２】
操作表示器が組み込まれたタイプのエレベータの三方枠において、高さ方向について複数の負荷部材が縦枠に互いに離して配置され、所望の負荷部材間に操作表示器を配置しているエレベータの三方枠装置が従来から知られている（例えば、特許文献１参照）。
【０００３】
特許文献１に開示された負荷部材は、水平方向について三方枠の縦枠の溝内を充塞する形状になっており、昇降路壁から突出したアンカーと溶接されることで、三方枠の取付位置を決定している。また、負荷部材は、縦枠の溝内を充塞する形状になっており、負荷部材以外の補強材を用いることなく、縦枠の補強が可能になっている。従って、操作表示器は、他の補強部材の制約を受けることなく、容易に縦枠に取り付けることが可能になっている。
【先行技術文献】
【特許文献】
【０００４】
【特許文献１】特開２００３−４０５６７号公報
【発明の概要】
【発明が解決しようとする課題】
【０００５】
しかしながら、従来技術には、以下のような課題がある。
特許文献１に開示されているエレベータの三方枠装置のように、操作表示器が組み込まれたタイプの三方枠では、操作表示器の保守点検を行うとき、昇降路内部にいる作業員が、操作表示器を三方枠から取り外して点検を行い、点検後、再び三方枠に取り付けることが一般的である。しかし、操作表示器を三方枠に取り付けた後、作業員は、乗場側へ移動し、操作表示器がすれなく三方枠に組み付いたか否かを確認し、必要に応じて、取り付け位置を微調整する必要がある。
【０００６】
これにより、操作表示器が組み込まれたタイプの三方枠の保守点検作業に時間がかかってしまうという問題があった。従って、作業効率が悪化してしまうという問題があった。
【０００７】
この発明は、上記のような課題を解決するためになされたものであり、操作表示器の取り付け位置を乗場側から確認することなく、昇降路側から操作表示器の取付位置を特定することができる操作表示器組込型エレベータの三方枠、及びエレベータの操作表示器取付方法を得ることを目的とする。
【課題を解決するための手段】
【０００８】
この発明による操作表示器組込型エレベータの三方枠は、乗場出入口を囲むフレーム材、ストッパが設けられた誘導溝を形成するガイド板部を有し、フレーム材に回動可能に取り付けられたガイド枠、及び操作表示器を支持した状態で誘導溝に沿って案内される支持板部を有し、支持板部の一端部に設けられた当接部をストッパに当接させた状態で、フレーム材に設けられた開口孔を操作表示器が塞ぐ方向にガイド枠と一体に回動可能な表示ユニットを備え、ガイド枠には、ガイド枠の自重により開口孔を操作表示器が塞ぐ方向に回動力が加えられており、支持板部は、当接部がストッパに当接している状態において、他端部がガイド枠の端部から突出しており、表示ユニットは、支持板部が誘導溝に嵌った状態でスライド移動させることで当接部をストッパに当接させた後、ガイド枠と一体となって回動力に従ってフレーム材内に変位されることにより、操作表示器が開口孔を塞ぐ状態でフレーム材に取り付け可能になっており、ガイド枠の端部から突出している他端部とフレーム材とには、操作表示器で開口孔を塞ぐ状態を維持する保持具が設けられている。
【０００９】
また、この発明によるエレベータの操作表示器取付方法は、乗場出入口を囲むフレーム材、ストッパが設けられた誘導溝を形成するガイド板部を有し、フレーム材に回動可能に取り付けられたガイド枠、及び操作表示器を支持した状態で誘導溝に沿って案内される支持板部を有し、支持板部の一端部に設けられた当接部がストッパに当接させた状態でフレーム材に設けられた開口孔を操作表示器が塞ぐ方向にガイド枠と一体に回動可能な表示ユニットを備えた操作表示器組込型エレベータの三方枠において、表示ユニットをフレーム材に取り付けるためのエレベータの操作表示器取付方法であって、自重により開口孔を操作表示器が塞ぐ方向に回動力が加えられているガイド枠を、回動力に逆らってフレーム材内の第２回動位置に変位させる第１ステップと、第１ステップにより第２回動位置に変位した状態のガイド枠の誘導溝に対して支持板部が嵌った状態で、支持板部を誘導溝に沿って当接部がストッパに当接するまでスライド移動させる第２ステップと、当接部がストッパに当接した状態を維持したまま、ガイド枠に加えられている回動力に従ってフレーム材内の第１回動位置に変位させることにより、操作表示器が開口孔を塞ぐ状態でフレーム材に表示ユニットを取り付け可能とする第３ステップと、第３ステップの後、ガイド枠の端部から突出している支持板部の他端部と、フレーム材とを固定する第４ステップとを有する。
【発明の効果】
【００１０】
この発明によれば、操作表示器を支持する支持板部が、フレーム材に対して回動可能に設けられたガイド枠の誘導溝に嵌った状態で当接部がストッパに当接するまで誘導溝に沿って案内されている。また、支持板部が誘導溝に嵌り、当接部がストッパに当接した状態を維持したまま、表示ユニットとガイド枠とを一体として、ガイド枠による開口孔を操作表示器が塞ぐ方向への回動力に従ってフレーム材内に変位されることで、表示ユニットを、ガイド枠によって位置決めされた状態で、表示器取付位置に取り付け可能になる。この結果、操作表示器の取り付け位置を乗場側から確認することなく、昇降路側から操作表示器の取付位置を特定することができる操作表示器組込型エレベータの三方枠、及びエレベータの操作表示器取付方法を実現できる。
【図面の簡単な説明】
【００１１】
【図１】本発明の実施の形態１における三方枠で囲まれたエレベータの乗場出入口を示す正面図である。
【図２】図１のＩＩ−ＩＩ線に沿った断面図であり、表示ユニットの左右方向断面を示している。
【図３】図１のＩＩＩ−ＩＩＩ線に沿った断面図であり、表示ユニットの上下方向断面を示している。
【図４】図３のガイド枠を示す斜視図である。
【図５】ガイド枠に、表示ユニットを取つける前の状態である着脱位置を示す側面図である。
【図６】最下階の表示ユニットを作業員が取り付けている状態を示す図である。
【図７】ガイド枠のストッパの一例を示す斜視図である。
【発明を実施するための形態】
【００１２】
以下、本発明のエレベータの三方枠の好適な実施の形態につき図面を用いて説明する。
【００１３】
実施の形態１．
図１は、本発明の実施の形態１における三方枠で囲まれたエレベータの乗場出入口を示す正面図である。なお、以下、図１の乗場出入口１の幅方向である矢印Ａ方向を左右方向とし、乗場出入口１の高さ方向である矢印Ｂ方向を上下方向とし、乗場出入口１から昇降路内を見る方向、即ち紙面に垂直な方向を奥行き方向として説明する。
【００１４】
図１に示すように、乗場出入口１の左右及び上部には、乗場壁２に対して固定された三方枠３が設けられている。三方枠３は、左右一対の縦枠３０と、縦枠３０それぞれの上端部間に設けられた上枠３１と、を有している。一対の縦枠３０及び上枠３１は、乗場出入口１を囲むフレーム材である。
【００１５】
奥行き方向について三方枠３の昇降路側、即ち図１の奥側には、乗場出入口１を開閉する一対の乗場の戸４が設けられている。乗場に面する一方の縦枠３０の面には、後述する表示ユニット５が組み込まれ、表示ユニット５の一部を乗場側に露出させる開口孔６が複数（図１の例では、３つ）設けられている。従って、左右方向について、一方の縦枠３０の長さは、他方の縦枠３０の長さに比べて長くなっている。
【００１６】
図２は、図１のＩＩ−ＩＩ線に沿った断面図であり、表示ユニット５の左右方向断面を示している。また、図３は、図１のＩＩＩ−ＩＩＩ線に沿った断面図であり、表示ユニット５の上下方向断面を示している。
【００１７】
図２及び図３に示すように、表示ユニット５は、ガイド枠８により把持された状態で、縦枠３０に対して通常の取付位置に固定されている。ここで、通常の取付位置とは、図３に示すように、縦枠３０の表示器取付位置に対して、表示ユニット５の一部が開口孔６を塞いでいる状態で、表示ユニット５が設置されている位置を示している。
【００１８】
なお、ガイド枠８は、一端が縦枠３０にヒンジ７を介して固定されており、ヒンジ７により回動可能とすることで、表示ユニット５を把持した状態で、通常の取付位置に表示ユニット５を取り付けることを可能としている。
【００１９】
ヒンジ７は、図３に示すように、縦枠３０の内面にボルト及びナットで固定された第１取付片７０と、ガイド枠８が取り付けられ、第１取付片７０に対して回動可能な第２取付片７１とを有している。第２取付片７１は、左右方向に沿った軸を中心に第１取付片７０に対して回動可能になっている。なお、第１取付片７０と縦枠３０との固定方法は、ボルト及びナットに限らず、溶接されていてもよい。
【００２０】
ヒンジ７を縦枠３０に固定する位置は、三方枠３を据え付ける前に、表示ユニット５を予め縦枠３０に組み込むことで決定される。具体的には、第２取付片７１に取り付けられるとともに表示ユニット５を把持したガイド枠８を通常の取付位置に配置した状態で、第１取付片７０を縦枠３０に取り付けている。
【００２１】
図４は、図３のガイド枠８を示す斜視図である。図２、図３、及び図４に示すように、ガイド枠８は、ヒンジ７の第２取付片７１に取り付けられる矩形の上板部８０と、上板部８０の両端部に設けられた一対のガイド板部８１とを有している。
【００２２】
上板部８０の昇降路側の面には、スタットボルト８２が複数（図４の例では、４つ）固定されている。これにより、上板部８０は、第２取付片７１のボルト通し穴に通されたスタットボルト８２にナット８３を締め付けることにより、第２取付片７１と固定される。なお、この図４の例では、詳細は図示していないが、４つのスタットボルト８２の左側２つと右側２つのそれぞれに対して、個別のヒンジ７を用いて、縦枠３０内に取り付けられる構成となっている。
【００２３】
一対のガイド板部８１のそれぞれは、第２取付片７１に固定された上板部８０の両端部から下方に向かって延びるように設けられている。各ガイド板部８１は、互いに対向する把持板部８１ａ、８１ｂと、把持板部８１ａ、８１ｂの一端部間に設けられた繋板部８１ｃとを有している。これにより、各ガイド板部８１は、把持板部８１ａ、８１ｂと繋板部８１ｃとで断面略Ｃ字型の誘導溝を形成している。
【００２４】
把持板部８１ａ、８１ｂと繋板部８１ｃとは、例えば、鋼板を折り曲げて断面略Ｃ字型に成型されている。各ガイド板部８１は、把持板部８１ａ、８１ｂと繋板部８１ｃとで形成される誘導溝の開口部を対向させた状態で、上板部８０に取り付けられている。また、把持板部８１ｂは、上板部８０と同一平面状に設けられている。
【００２５】
従って、一対のガイド板部８１のそれぞれの把持板部８１ａと把持板部８１ｂとは、奥行き方向について互いに対向しており、各ガイド板部８１の繋板部８１ｃ同士は、左右方向について互いに対向している。
【００２６】
また、各ガイド板部８１の一端部には、ストッパ８４が設けられている。ストッパ８４は、上下方向についてガイド板部８１の両端部のうち、ヒンジ７と固定される上板部８０に近いガイド板部８１の端部に設けられている。この図４の例では、ストッパ８４は、上下方向について各ガイド板部８１の上端部に設けられている。
【００２７】
ストッパ８４は、断面略Ｌ字の部材になっており、Ｌ字の一面が、把持板部８１ａ、８１ｂ及び繋板部８１ｃのいずれか１つの板部の面に取り付けられ、Ｌ字の他面が、把持板部８１ａ、８１ｂと繋板部８１ｃとで囲まれる空間内に突出している。この図４の例では、ストッパ８４は、把持板部８１ａに取り付けられ、把持板部８１ａから把持板部８１ｂに向かって延びている。従って、ストッパ８４は、誘導溝内に設けられていることになる。
【００２８】
表示ユニット５が通常の取付位置にあるとき、把持板部８１ａ、８１ｂは、奥行き方向について表示ユニット５を挟み込む位置に配置され、互いに対向する繋板部８１ｃは、左右方向について表示ユニット５を挟み込む位置に配置されている。また、ストッパ８４は、表示ユニット５が通常の取付位置にあるとき、表示ユニット５の上端部がストッパ８４に当接するような位置に取り付けられている。即ち、表示ユニット５が通常の取付位置にある状態で、支持板部５２の上端部が、ストッパ８４に対する当接部になっている。
【００２９】
表示ユニット５は、乗場の利用者にかごの運転状況を表示する操作表示器である表示器５０と、乗場の利用者が呼び登録可能な操作表示器である複数の呼び釦５１と、表示器５０及び呼び釦５１を支持する支持板部５２と、を有している。即ち、支持板部５２は、操作表示器を支持している。
【００３０】
表示器５０としては、例えば、かごが現在どの階を走行しているか、及び乗場に到着するかごが上下階どちらに進むかを表示するインジケータが挙げられる。これに限らず、表示器５０は、乗場に到着するかごが上下階どちらに進むかを表示するホールランタンであってもよい。
【００３１】
呼び釦５１は、図１に示した例では、２つ設けられ、利用者が現在いる階から上下階どちらに行きたいかを登録可能な上下矢印を示す釦になっている。なお、呼び釦５１は、これに限るものではなく、例えば、利用者が行先階を直接登録可能な数字の釦、またはテンキー釦になっていてもよい。
【００３２】
支持板部５２は、互いに対向する一対の第１板部５２ａと、第１板部５２ａの一端部間に設けられた第２板部５２ｂとで構成された断面略Ｃ字型の板になっている。
【００３３】
第２板部５２ｂには、表示器５０の一部を挿入可能な表示器用孔と、呼び釦５１の一部を挿入可能な釦用孔とが開けられている。表示器用孔及び釦用孔は、各開口孔６に対応する位置に設けられている。
【００３４】
表示器用孔の周囲には、第２板部５２ｂから第１板部５２ａが設けられている側に突出するスタットボルト５３が複数（図３の例では、２つ）固定されている。支持板部５２は、表示器５０に設けられたボルト通し穴に通されたスタットボルト５３にナット５４を締め付けることにより、表示器５０を支持している。このとき、表示器用孔に挿入された表示器５０は、表示器用孔を塞ぎ、第２板部５２ｂを介して第１板部５２ａと反対方向に第２板部５２ｂの面から突出している。
【００３５】
釦用孔の周囲には、第２板部５２ｂから第１板部５２ａが設けられている側に突出する案内枠５５が釦用孔と同軸に設けられている。案内枠５５の形状は、釦用孔の形状よりも大きく設定され、かつ、呼び釦５１の外周形状と同等の大きさに設定されている。これにより、呼び釦５１は、釦用孔の軸上を案内枠５５に沿って移動可能になっている。従って、支持板部５２は、呼び釦５１を案内枠５５及び釦用孔に挿入することで、呼び釦５１を支持している。このとき、釦用孔に挿入された呼び釦５１は、釦用孔を塞ぎ、第２板部５２ｂを介して第１板部５２ａと反対方向に第２板部５２ｂの面から突出している。
【００３６】
把持板部８１ａと把持板部８１ｂとの距離は、第１板部５２ａの長さによって決められており、第１板部５２ａが把持板部８１ａと把持板部８１ｂとの間を案内されたとき、奥行き方向について表示ユニット５が所望の範囲内で位置決めできるような距離に設定されている。また、一対のガイド板部８１の対向する繋板部８１ｃ間の距離は、第２板部５２ｂの長さによって決められており、第２板部５２ｂが一対のガイド板部８１の対向する繋板部８１ｃ間を案内されたとき、左右方向について表示ユニット５が所望の範囲内で位置決めできるような距離に設定されている。
【００３７】
即ち、表示ユニット５は、ガイド板部８１である把持板部８１ａ、８１ｂと繋板部８１ｃとで形成された誘導溝に、支持板部５２が嵌った状態で誘導溝に沿って案内されることにより、通常の取付位置と、通常の取付位置よりもガイド板部８１の下端部側にずれた着脱位置との間でガイド板部８１に対してスライド移動可能になっている。
【００３８】
また、表示ユニット５が通常の取付位置にあるとき、上下方向について、第２板部５２ｂの下部は、ガイド枠８の下端部よりも下方に突出しており、その第２板部５２ｂの突出部５６と縦枠３０とが固定される。表示ユニット５の突出部５６と縦枠３０とは、縦枠３０の内面に固定されたスタットボルト９を第２板部５２ｂに設けられたボルト通し穴に通し、ナット１０で締め付けることにより固定される。これにより、表示ユニット５の突出部５６と縦枠３０とには、表示ユニット５を通常の取付位置に保持するために保持具であるスタットボルト９及びナット１０が設けられていることになる。
【００３９】
次に、ガイド枠８と表示ユニット５との関係について説明する。表示ユニット５がガイド板部８１の取付位置にあるとき、支持板部５２の上端部は、ストッパ８４に当接している。また、表示ユニット５が、ガイド板部８１の取付位置にあるとき、上下方向について、第１板部５２ａの大部分がガイド板部８１に重なっている。
【００４０】
このとき、上下方向について、第２板部５２ｂの下端部の位置は、ガイド板部８１の下端部よりも下方に位置している。また、表示ユニット５がガイド板部８１の取付位置にある状態で、ガイド枠８と表示ユニット５とは、一体に動かすことが可能になっている。なお、ストッパ８４と支持板部５２の上端部とに接着部材、例えば磁石が設けられており、支持板部５２の上端部がストパ８４と当接した状態を保持していてもよい。
【００４１】
一方、表示ユニット５が、ガイド板部８１の着脱位置にあるとき、表示ユニット５がガイド板部８１の取付位置にあるときよりも、第２板部５２ｂの下端部の位置からガイド板部８１の下端部までの距離が長くなっている。即ち、ガイド板部８１の下端部から突出する表示ユニット５の突出量が大きくなっている。これにより、表示ユニット５が着脱位置にあるときには、表示ユニット５は、ガイド枠８からの取り外しが容易になっている。
【００４２】
ガイド枠８は、図３に示す第１回動位置と、後述する図５に示す第１回動位置よりも縦枠３０から離れた第２回動位置との間で回動される。表示ユニット５がガイド枠８の取付位置にある状態で、ガイド枠８がヒンジ７の軸を中心に回動されることにより、表示ユニット５の状態が、表示器５０及び呼び釦５１が開口孔６を塞ぐ状態と、縦枠３０内に変位されて開口孔６を塞がない状態との間で変化する。
【００４３】
即ち、ガイド枠８の取付位置にあるときの表示ユニット５の状態は、ガイド枠８が第１回動位置へ回動されると、表示器５０及び呼び釦５１が開口孔６を塞ぐ状態になる。また、ガイド枠８の取付位置にあるときの表示ユニット５の状態は、ガイド枠８が第２回動位置へ回動されると、表示器５０及び呼び釦５１が開口孔６を塞がない状態になる。ここで、表示ユニット５が表示器５０及び呼び釦５１で開口孔６を塞いでいる状態では、表示器５０及び呼び釦５１の一部が、開口孔６から乗場に露出している。
【００４４】
通常、ガイド枠８には、ガイド枠８の自重により、ガイド枠８が第１回動位置へ回動される方向に回動力が加わっている。即ち、ガイド枠８には、表示器５０及び呼び釦５１が開口孔６を塞ぐ方向に回動力が加わっている。このとき、ガイド枠８の把持板部８１ｂは、縦枠３０の内面に押し付けられている。
【００４５】
従って、表示ユニット５は、突出部５６がスタットボルト９及びナット１０により縦枠３０に固定され、かつ、表示ユニット５がガイド枠８の回動力により縦枠３０に押し付けられている状態では、通常の取付位置に保持され、ガイド枠８の取付位置から着脱位置へのスライド移動が阻止される。
【００４６】
一方、表示ユニット５は、突出部５６のスタットボルト９及びナット１０による縦枠３０への固定が解除され、ガイド枠８が第２回動位置に移動されることで、ガイド枠８の取付位置から着脱位置へのスライド移動が許容される。
【００４７】
次に、表示ユニット５の取付方法について図５を用いて説明する。図５は、ガイド枠８に、表示ユニット５を取り付ける前の状態である着脱位置を示す側面図である。
【００４８】
先ず、第１ステップとして、作業員は、図５に示すように、ガイド枠８の下端部が回動力に逆らって縦枠３０から離れた状態、即ち、第１回動位置から第２回動位置へ、ガイド枠８を移動させる。次に、第２ステップとして、作業員は、表示ユニット５の下端部を持ち、図５の矢印Ｃ方向に沿って、表示ユニット５をガイド枠８に挿入させる。そして、表示器５０及び呼び釦５１が取り付けられた支持板部５２の上端部が、ガイド枠８のストッパ８４に当たるまで表示ユニット５をガイド枠８に挿入していく。これにより、表示ユニット５が、ガイド枠８の取付位置へ移動する。
【００４９】
このとき、支持板部５２は、ガイド板部８１が形成する誘導溝に嵌った状態で、誘導溝に沿ってスライド移動していく。即ち、表示ユニット５は、支持板部５２が誘導溝に嵌った状態になることで、左右方向及び奥行き方向の位置決めがなされ、ストッパ８４に当たることで、上下方向の位置決めがなされ、通常の取付位置に表示ユニット５の位置を決定できることになる。
【００５０】
作業員は、表示ユニット５の上端部がストッパ８４に当たり、表示ユニット５がガイド枠８の取付位置にきたとき、第３ステップとして、表示ユニット５をガイド枠８の回動力に従って図５の矢印Ｄ方向に動かし、ガイド枠８ごと縦枠３０に向かって回動させる。即ち、表示ユニット５が、ガイド枠８の取付位置にある状態で、ガイド枠８を第２回動位置から第１回動位置に移動させる。
【００５１】
これにより、表示ユニット５は、図３の通常の取付位置に移動することになる。このとき、表示器５０及び呼び釦５１は、開口孔６を塞いだ状態になっている。また、縦枠３０に固定されたスタットボルト９は、第２板部５２ｂに設けられたボルト通し穴に通った状態になっている。
【００５２】
この後、第４ステップとして、スタットボルト９にナット１０を締め付けることで、縦枠３０に表示ユニット５が固定される。これにより、縦枠３０へ表示ユニット５を取り付ける作業が完了する。
【００５３】
また、表示ユニット５の取付、点検または交換を行う際は、上記の逆の手順で取り外すことができる。
【００５４】
このような実施の形態１によるエレベータの三方枠は、操作表示器を有する表示ユニットと、縦枠内に回動可能に設けられたガイド枠を有している。また、ガイド枠は、表示ユニットを案内可能な誘導溝を形成するガイド板部と、ガイド板部の上部に設けられたストッパと、を有している。表示ユニットは、誘導溝に嵌った状態でかつ、ストッパに当接させた状態で、ガイド枠と一体にガイド枠の自重による回動力に従って縦枠内に回動することで、通常の取付位置に取り付け可能になっている。
【００５５】
このような構成を備えることで、表示ユニットは、誘導溝及びストッパによりガイド枠内で、上下方向、左右方向、及び奥行き方向の位置を決定することができる。また、表示ユニットは、ストッパに当たるまで誘導溝に沿ってガイド枠内に挿入した後、ガイド枠を縦枠にむけて回動するだけで、操作表示器が縦枠に設けられた開口孔を塞ぐ位置に表示ユニットを誘導することができる。この結果、昇降路内の作業員が、表示ユニット設置後に、乗場側から操作表示器の位置確認及び調整を行う手間を省くことができる。これにより、乗作業効率を向上に繋げることができる。
【００５６】
また、ガイド枠は、自重により、表示器及び呼び釦が開口孔を塞ぐ方向に回動力が加わっている。これにより、乗場側から利用者が誤ってぶつかるなどの外力が加わった場合でも、表示ユニットは、ガイド枠により表示器及び呼び釦が開口孔を塞ぐ方向に戻ることができる。従って、表示ユニットの外れを防ぐことができる。
【００５７】
実施の形態２．
先の実施の形態１では、上下方向について、通常の取付位置にある表示ユニット５及びガイド枠８の下端部の位置について特に特定していない。ここで、表示ユニット５の保守点検において、最下階を除く階床では、作業員はかご上に乗って作業を行う。従って、作業員は、所望の位置にかごを移動させた後、表示ユニット５の保守点検を行うことができる。
【００５８】
しかしながら、最下階の表示ユニット５の保守点検は、かご上での作業が不可能であるため、昇降路ピットからの作業になる。このとき、昇降路ピット内に常設されている足場では、作業員の手が届かないことが多く、別途、大型の脚立を昇降路ピット内に搬入する必要があり、作業効率が悪いという問題があった。
【００５９】
そこで、本実施の形態２では、最下階に表示ユニット５を設置する場合を考慮して、通常の取付位置にある表示ユニット５及びガイド枠８の下端部の位置を特定する例について説明する。
【００６０】
図６は、最下階の表示ユニット５を作業員が取り付けている状態を示す図である。図６に示すように、上下方向について、通常の取付位置にある表示ユニット５の突出部５６の下端部及びガイド枠８の下端部のうち、昇降路ピット面１１からより離れた端部までの距離が所望の長さ、例えば、２．５ｍに設定されている。表示ユニット５の突出部５６の下端部及びガイド枠８の下端部と、昇降路ピット面１１との距離が所望の長さに達していない場合は、表示ユニット５及びガイド枠８の長さを調節して、所望の長さに合わせる。
【００６１】
ここで、所望の長さとは、昇降路ピット内に常設してある足場１２の高さ、及び表示ユニット５の通常の取付位置に基づいて決定され、足場１２からでも作業員の手が表示ユニット５に届く長さに設定されている。
【００６２】
この例では、上下方向について、昇降路ピット面１１から突出部５６の下端部までの距離よりも昇降路ピット面１１からガイド枠８の下端部までの距離（図６の矢印Ｅ）が大きくなっている。即ち、昇降路ピット面１１からガイド枠８の下端部までの距離が、２．５ｍ以下の位置に設定されている。
【００６３】
これにより、表示ユニット５の下端部及びガイド枠８の下端部の位置は、作業員が、昇降路ピット内に常設してある足場１２からでも手が届く位置に設定されていることになる。その他の構成は、先の実施の形態１と同様である。
【００６４】
このような実施の形態２による表示ユニットは、縦枠と固定される部分であり、ガイド枠から突出している表示ユニットの突出部の端部及び、回動基準と反対側になるガイド枠の端部のうち、昇降路ピット面からより離れた端部までの距離が２．５ｍ以下に設定されている。このような構成を備えることで、作業員が、最下階の表示ユニットの保守点検を行う際に、昇降路内ピット内に常設してある足場からでも作業を行うことができる。この結果、作業員が、昇降路外から別途足場となる脚立を持って入る手間を無くすことができる。
【００６５】
なお、各上記実施の形態では、ガイド枠８の上部にストッパ８４を設けて、表示ユニット５をガイド枠８の取付位置で止めているが、表示ユニット５をガイド枠８の取付位置に止める方法は、これに限るものではない。図７は、ガイド枠８のストッパ８４の一例を示す斜視図である。なお、図７は、一対のガイド板部８１のうち片方のみ示している。
【００６６】
図７に示すように、繋板部８１ｃには、スリット８５が設けられており、スリット８５の上端部がストッパ８４の役割を果たしていてもよい。この場合、図示していないが、一対の第１板部５２ａには、スリット８５内を案内され、ストッパ８４で止まる当接部となる部材が、第１板部５２ａから繋板部８１ｃに向かって突出して設けられている必要がある。
【００６７】
また、各上記実施の形態では、ガイド枠８の自重により、ガイド枠８が第１回動位置へ回動される方向に回動力が加わっている。これに加えて、ヒンジ７に、ガイド枠８が第１回動位置へ回動される方向に付勢力を与えるばねが設けられていてもよい。
【符号の説明】
【００６８】
１  乗場出入口、３  三方枠、５  表示ユニット、６  開口孔、８  ガイド枠、１１  昇降路ピット面、５２  支持板部、８１  ガイド板部、８４  ストッパ。
【図１】
0006305320.tif 000002
【図２】
0006305320.tif 000003
【図３】
0006305320.tif 000004
【図４】
0006305320.tif 000005
【図５】
0006305320.tif 000006
【図６】
0006305320.tif 000007
【図７】
0006305320.tif 000008